(57)【特許請求の範囲】
【請求項１】
第一負荷と第一コンデンサーとが直列接続された第一直列回路と、
第二コンデンサーと第二負荷とが直列接続された第二直列回路と、
を備え、前記第一直列回路と前記第二直列回路とが、コンデンサーと負荷との接続順序が反対の関係で並列接続され、
第一直列回路の第一負荷と第一コンデンサーとの接続点と、第二直列回路の第二コンデンサーと第二負荷との接続点とにダイオードが接続され、
前記並列接続された第一直列回路及び第二直列回路に、入力直流電気エネルギーが選択的に供給／非供給され、直流電気エネルギーの供給が開始された起動時に、ほぼ全入力電圧が前記第一負荷と第二負荷とに作用し、その後に入力電圧を第一負荷と第二負荷とで分圧した電圧が第一負荷と第二負荷とにそれぞれ作用し、入力直流電気エネルギーの供給が中断または低下されたときに、第一コンデンサーからの放電電流が第二負荷に流れ、第二コンデンサーからの放電電流が第一負荷に流れることを特徴とする全圧起動分圧作動及び回路中断延滞装置。
【請求項２】
前記並列接続された第一直列回路及び第二直列回路と電源との間にスイッチ手段が接続されて、該スイッチ手段によって、前記入力直流電気エネルギーが選択的に供給／非供給されることを特徴とする請求項１記載の全圧起動分圧作動及び回路中断延滞装置。
【請求項３】
前記第１コンデンサー及び第２コンデンサーの少なくとも一方に、抵抗が並列接続されることを特徴とする請求項１または２記載の全圧起動分圧作動及び回路中断延滞装置。
【請求項４】
前記第一負荷及び第二負荷の少なくとも一方は、異なる電圧の時に異なる特性をもつ電気エネルギーにより駆動される装置であって、電磁効果を発生させる装置または電磁力によって機械エネルギーに変換する装置であることを特徴とする請求項１ないし３のいずれか１項に記載の全圧起動分圧作動及び回路中断延滞装置。
【請求項５】
前記第一負荷及び第二負荷の少なくとも一方は、抵抗性負荷を含むことを特徴とする請求項１ないし４のいずれか１項に記載の全圧起動分圧作動及び回路中断延滞装置。
【発明の詳細な説明】
【技術分野】
【０００１】
本発明は、起動時にほぼ全入力電圧を二つの負荷に印加し、その後に低い分圧を各負荷に印加し、入力電圧が中断または低下したときに、その中断を遅らせることができる全圧起動分圧作動及び回路中断延滞装置であり、コンデンサーの充電放電分圧という特性を利用し、電気エネルギーによって作動する負荷が起動または作動する時に、従来のタイプのスイッチＯＮ、ＯＦＦと異なる起動及び作動特性を持たせることができる全圧起動分圧作動及び回路中断延滞装置に関する。
【背景技術】
【０００２】
従来、電気エネルギースイッチによる電気エネルギーによって作動する負荷に対するコントロールは、そのＯＮまたはＯＦＦを行って、入力電圧の供給または遮断を行うのみであり、入力電圧に対し負荷に供給する電気エネルギーの変更ができない。
【発明の開示】
【発明が解決しようとする課題】
【０００３】
この発明の主な目的は、起動時にほぼ全入力電圧を二つの負荷に印加し、その後に低い分圧を各負荷に印加し、入力電圧が中断または低下したときに、その中断を遅らせることができる全圧起動分圧作動及び回路中断延滞装置を提供することである。
【課題を解決するための手段】
【０００４】
上記目的を達成するために、本発明による全圧起動分圧作動及び回路中断延滞装置は、第一負荷と第一コンデンサーとが直列接続された第一直列回路と、第二コンデンサーと第二負荷とが直列接続された第二直列回路と、を備え、前記第一直列回路と前記第二直列回路とが、コンデンサーと負荷との接続順序が反対の関係で並列接続され、第一直列回路の第一負荷と第一コンデンサーとの接続点と、第二直列回路の第二コンデンサーと第二負荷との接続点とにダイオードが接続され、前記並列接続された第一直列回路及び第二直列回路に、入力直流電気エネルギーが選択的に供給／非供給され、直流電気エネルギーの供給が開始された起動時に、ほぼ全入力電圧が前記第一負荷と第二負荷とに作用し、その後に入力電圧を第一負荷と第二負荷とで分圧した電圧が第一負荷と第二負荷とにそれぞれ作用し、入力直流電気エネルギーの供給が中断または低下されたときに、第一コンデンサーからの放電電流が第二負荷に流れ、第二コンデンサーからの放電電流が第一負荷に流れることを特徴とする。
【０００５】
コンデンサー充電するときの積分増圧特性及び放電時の微分降圧特性を利用し、直流電気エネルギーを入力する時に、電気エネルギー負荷によりコンデンサーに充電させ、二組の直列回路をそれぞれコンデンサー直列する電気エネルギー負荷と全電圧受けさせ、そして、コンデンサー充電電圧が上昇し、それぞれコンデンサーが並列接続する両電気エネルギー負荷の形成する分圧とバランスをとり、この際、両直列回路の電気エネルギー負荷は直列する高抵抗低電流状態になり、全圧起動分圧作動及び回路延滞の性能ができる。前記電気エネルギー負荷は、電磁効果電気エネルギー負荷または抵抗性電気エネルギー負荷によるものを含む。
【０００６】
第１の態様としては、下記のように構成する。
【０００７】
電磁効果電気エネルギー負荷１０１、１０３：異なる電圧の時に異なる特性をもつ電気エネルギー駆動装置で、例えば電磁効果装置または電磁力から機械エネルギー装置等に転じるものにより構成する。
第一電磁効果電気エネルギー負荷１０１が第一コンデンサー１０２に提供し順極性直列し、第一直列回路にする。
第二コンデンサー１０４が第二電磁効果電気エネルギー負荷１０３に提供し順極性直列し、第二直列回路にする。
前記第一直列回路と第二直列回路とは、そのコンデンサー１０２と１０４及び電磁効果電気エネルギー負荷１０１と１０３との素子が反対の順で直列し、そして両直列回路と同じ極性で並列接続し、電源スイッチ１００のコントロールを受ける。
【０００８】
ダイオード２００：第一直列回路のなかにおいて、第一電磁効果電気エネルギー負荷１０１と第一コンデンサー１０２との連結点であり、それは第二直列回路の中において第二電磁効果電気エネルギー負荷１０３と第二コンデンサー１０４との連結点の間に、第一電磁効果電気エネルギー負荷１０１と第二電磁効果電気エネルギー負荷１０３とが順極性直列になり、直流電気エネルギーを通過させる。
【０００９】
第１の態様において、その機能は、次の通りである。
（１）  電源スイッチ１００がＯＮの時、直流電気エネルギーは第一電磁効果電気エネルギー負荷１０１を経て第一コンデンサー１０２に対し充電し、そして第二電磁効果電気エネルギー負荷１０３を経て、第二コンデンサー１０４に対し充電し、この時第一電磁効果電気エネルギー負荷１０１及び第二電磁効果電気エネルギー負荷１０３は全電圧を受け、第一コンデンサー１０２及び第二コンデンサー１０４の充電電圧により積分曲線上昇になり、第一電磁効果電気エネルギー負荷１０１及び第二電磁効果電気エネルギー負荷１０３の電圧が段々に降下する。
（２）  電気エネルギー負荷の電圧が降下し、第一電磁効果電気エネルギー負荷１０１及び第二電磁効果電気エネルギー負荷１０３の直列の分圧値に安定していて、この際の電流値が、直流電源電圧からダイオード２００の順方向電圧ＶＦを減算して、第一電磁効果電気エネルギー負荷１０１及び第二電磁効果電気エネルギー負荷１０３の直列抵抗値で割ったものに降下する。
（３）  電源スイッチ１００がＯＦＦの時、または電源電圧が瞬間的に降下した時、第一コンデンサー１０２は第二電磁効果電気エネルギー負荷１０３に対し放電し、第二コンデンサー１０４が第一電磁効果電気エネルギー負荷１０１に対し放電することにより回路中断の時間を延滞させる。
【００１０】
第２の態様は、前記第１の態様に対して、送電時に第一電磁効果電気エネルギー負荷１０１及び第二電磁効果電気エネルギー負荷１０３の電圧降下時間又は回路中断時の延滞時間の時定数を、第一コンデンサー１０２及び第二コンデンサー１０４の両端にそれぞれ第一抵抗１０５及び第二抵抗１０６を並列接続することにより調節することができる。第２の態様は、下記のように構成する。
【００１１】
電磁効果電気エネルギー負荷１０１、１０３：異なる電圧の時に異なる特性を持つ電気エネルギー駆動装置であり、例えば電磁効果装置又は電磁力から機械エネルギーへ転じる装置などで構成する。
第一電磁効果電気エネルギー負荷１０１が第一コンデンサー１０２に提供し順極性直列し、第一直列回路にする。
第二コンデンサー１０４が第二電磁効果電気エネルギー負荷１０３に提供し順極性直列し、第二直列回路にする。
前記第一直列回路と第二直列回路とは、そのコンデンサー１０２と１０４及び電磁効果電気エネルギー負荷１０１と１０３との素子が反対の順で直列し、そして両直列回路と同じ極性で並列接続し、電源スイッチ１００のコントロールを受ける。
【００１２】
ダイオード２００：第一直列回路のなかにおいて、第一電磁効果電気エネルギー負荷１０１と第一コンデンサー１０２との連結点であり、それは第二直列回路の中において第二電磁効果電気エネルギー負荷１０３と第二コンデンサー１０４との連結点の間に、第一電磁効果電気エネルギー負荷１０１と第二電磁効果電気エネルギー負荷１０３とが順極性直列になり、直流電気エネルギーを通過させる。
【００１３】
第一抵抗１０５：抵抗性抵抗または他の抵抗性抵抗を含むコイル、又は抵抗性抵抗を含む電気エネルギー駆動装置又は素子により構成される。第一コンデンサー１０２の両側に並列接続し、第二電磁効果電気エネルギー負荷１０３の分圧電圧降下又は中断する時に、第一コンデンサー１０２の放電を早めるものである。
【００１４】
第二抵抗１０６：抵抗性抵抗または他の抵抗性抵抗を含むコイル、又は抵抗性抵抗を含む電気エネルギー駆動装置又は素子により構成される。第二コンデンサー１０４の両側に並列接続し、第一電磁効果電気エネルギー負荷１０１の分圧電圧降下又は中断する時に、第二コンデンサー１０４の放電を早めるものである。
【００１５】
第２の態様において、その機能は次の通りである。
（１）  電源スイッチ１００がＯＮの時、直流電気エネルギーは第一電磁効果電気エネルギー負荷１０１を経て第一コンデンサー１０２に対し充電し、そして第二電磁効果電気エネルギー負荷１０３を経て、第二コンデンサー１０４に対し充電し、この時、第一電磁効果電気エネルギー負荷１０１及び第二電磁効果電気エネルギー負荷１０３が全電圧を受け、なお第一コンデンサー１０２及び第二コンデンサー１０４の充電電圧により積分曲線上昇になり、第一電磁効果電気エネルギー負荷１０１及び第二電磁効果電気エネルギー負荷１０３の電圧が段々降下し、第一コンデンサー１０２に並列接続する第一抵抗１０５及び第二コンデンサー１０４に並列接続する第二抵抗１０６は第一電磁効果電気エネルギー負荷１０１及び第二電磁効果電気エネルギー負荷１０３の電圧降下時間を延長できる。
（２）  電気エネルギー負荷の電圧が降下し、第一電磁効果電気エネルギー負荷１０１及び第二電磁効果電気エネルギー負荷１０３の直列の分圧値に安定していて、この際の電流値が、直流電源電圧からダイオード２００の順方向電圧ＶＦを減算して、第一電磁効果電気エネルギー負荷１０１及び第二電磁効果電気エネルギー負荷１０３の直列抵抗値で割ったものに降下する。
（３）  電源スイッチ１００がＯＦＦの時、または電源電圧が瞬間的に降下した時、第一コンデンサー１０２は第一抵抗１０５と第二電磁効果電気エネルギー負荷１０３に対し放電し、第二コンデンサー１０４が第二抵抗１０６と第一電磁効果電気エネルギー負荷１０１に対し放電することにより回路中断の時間を延滞させる。
【００１６】
第３の態様は、第１の態様に対して抵抗体３０１を降圧機能のある抵抗性電気エネルギー負荷にし、単一の電磁効果電気エネルギー負荷１０３を駆動させるものになり、下記のように構成する。
【００１７】
電磁効果電気エネルギー負荷１０３：異なる電圧の時に異なる特性を持つ電気エネルギー駆動装置であり、例えば電磁効果装置又は電磁力から機械エネルギーへ転じる装置などで構成する。
抵抗体３０１：抵抗性抵抗または他の抵抗性抵抗を含むコイル、又は抵抗性抵抗を含む電気エネルギー駆動装置又は素子により構成される。
抵抗体３０１は第一コンデンサー１０２に提供し順極性直列し、第一直列回路にする。
第二コンデンサー１０４は電磁効果電気エネルギー負荷１０３に提供し順極性直列し、第二直列回路にする。
前記第一直列回路と第二直列回路の両直列回路は同じ極性で並列接続するようになり電源スイッチ１００のコントロールを受ける。
【００１８】
ダイオード２００：第一直列回路のなかにおいて、抵抗体３０１と第一コンデンサー１０２との連結点であり、それは第二直列回路の中において第二電磁効果電気エネルギー負荷１０３と第二コンデンサー１０４との連結点の間に、抵抗体３０１と第二電磁効果電気エネルギー負荷１０３とが順極性直列になり、直流電気エネルギーを通過させる。
【００１９】
第３の態様において、その機能は、以下の通りである。
（１）  電源スイッチ１００がＯＮの時、直流電気エネルギーは抵抗体３０１を経て第一コンデンサー１０２に対し充電し、そして第二電磁効果電気エネルギー負荷１０３を経て第二コンデンサー１０４に対し充電し、この時、抵抗体３０１及び電磁効果電気エネルギー負荷１０３が全電圧を受け、なお第一コンデンサー１０２及び第二コンデンサー１０４の充電電圧により積分曲線上昇になり、抵抗体３０１及び電磁効果電気エネルギー負荷１０３の電圧が段々に降下する。
（２）  電気エネルギー負荷の電圧が降下し、抵抗体３０１及び電磁効果電気エネルギー負荷１０３の直列する分圧値に安定していて、この際の電流値が、直流電源電圧からダイオード２００の順方向電圧ＶＦを減算して、抵抗体３０１及び電磁効果電気エネルギー負荷１０３の直列抵抗値を割ったものに降下する。
（３）  電源スイッチ１００がＯＦＦの時、または電源電圧が瞬間的に降下した時、第一コンデンサー１０２は電磁効果電気エネルギー負荷１０３に対し放電し、第二コンデンサー１０４は抵抗体３０１に対し放電し回路中断の時間を延滞させる。
【００２０】
第４の態様は、前記第３の態様に対して、送電時に電磁効果電気エネルギー負荷１０３及び抵抗体３０１の電圧降下時間又は回路中断の延滞時間の時定数を、第一コンデンサー１０２及び第二コンデンサー１０４の両端にそれぞれ第一抵抗１０５及び第二抵抗１０６を並列接続することにより調節することができる。第４の態様は、下記のように構成する。
【００２１】
電磁効果電気エネルギー負荷１０３：異なる電圧の時に異なる特性を持つ電気エネルギー駆動装置であり、例えば電磁効果装置又は電磁力から機械エネルギーへ転じる装置などで構成する。
抵抗体３０１：抵抗性抵抗または他の抵抗性抵抗を含むコイル、又は抵抗性抵抗を含む電気エネルギー駆動装置又は素子により構成される。
抵抗体３０１は第一コンデンサー１０２に提供し順極性直列し、第一直列回路にする。
第二コンデンサー１０４が第二電磁効果電気エネルギー負荷１０３に提供し順極性直列し、第二直列回路にする。
前記の第一直列回路と第二直列回路は、両直列回路を同じ極性で並列接続し、電源スイッチ１００のコントロールを受ける。
【００２２】
ダイオード２００：第一直列回路のなかにおいて、抵抗体３０１と第一コンデンサー１０２との連結点であり、それは第二直列回路の中において第二電磁効果電気エネルギー負荷１０３と第二コンデンサー１０４との連結点の間に、抵抗体３０１と第二電磁効果電気エネルギー負荷１０３とが順極性直列になり、直流電気エネルギーを通過させる。
【００２３】
第一抵抗１０５：抵抗性抵抗または他の抵抗性抵抗を含むコイル、又は抵抗性抵抗を含む電気エネルギー駆動装置又は素子により構成される。第一コンデンサー１０２の両側に並列接続し、第二電磁効果電気エネルギー負荷１０３の分圧電圧降下又は中断する時に、第一コンデンサー１０２の放電を早めるものである。
【００２４】
第二抵抗１０６：抵抗性抵抗または他の抵抗性抵抗を含むコイル、又は抵抗性抵抗を含む電気エネルギー駆動装置又は素子により構成される。第二コンデンサー１０４の両側に並列接続し、抵抗体３０１の分圧電圧降下又は中断する時に、第二コンデンサー１０４の放電を早めるものである。この態様の第二抵抗１０６は並列接続する抵抗体３０１の特性により、設置するかしないかを選択できる。
【００２５】
第４の態様において、その機能は次の通りである。
（１）  電源スイッチ１００がＯＮの時、直流電気エネルギーは抵抗体３０１を経て第一コンデンサー１０２に対し充電し、そして第二電磁効果電気エネルギー負荷１０３を経て第二コンデンサー１０４に対し充電し、この時、抵抗体３０１及び電磁効果電気エネルギー負荷１０３が全電圧を受け、なお第一コンデンサー１０２及び第二コンデンサー１０４の充電電圧により積分曲線上昇になり、抵抗体３０１及び電磁効果電気エネルギー負荷１０３の電圧が段々降下し、第一コンデンサー１０２に並列接続する第一抵抗１０５及び第二コンデンサー１０４に並列接続する第二抵抗１０６は抵抗体３０１及び電磁効果電気エネルギー負荷１０３の電圧降下時間を延滞できる。
（２）  電気エネルギー負荷の電圧が降下し、抵抗体３０１及び電磁効果電気エネルギー負荷１０３の直列する分圧値に安定していて、この際の電流値が、直流電源電圧からダイオード２００の順方向電圧ＶＦを減算し、抵抗体３０１及び電磁効果電気エネルギー負荷１０３の直列抵抗値で割ったものに降下する。
（３）  電源スイッチ１００がＯＦＦの時、または電源電圧が瞬間的に降下した時、第一コンデンサー１０２は第一抵抗１０５と第二電磁効果電気エネルギー負荷１０３に対し放電し、第二コンデンサー１０４が第二抵抗１０６と抵抗体３０１に対し放電することにより回路中断の時間を延滞させる。
【００２６】
第５の態様は、第３の態様に対して、一歩進んで抵抗体３０１及び３０３により電気エネルギー負荷を構成したもので、下記のように構成する。
【００２７】
抵抗体３０１、３０３：抵抗性抵抗または他の抵抗性抵抗を含むコイル、又は抵抗性抵抗を含む電気エネルギー駆動装置又は素子により構成されるものであり、抵抗体３０１及び抵抗体３０３は同じ抵抗体又は異なる抵抗体で構成でき、その抵抗値が同じくまたは異なるものになる。
抵抗体３０１は第一コンデンサー１０２に提供し順極性直列し、第一直列回路にする。
第二コンデンサー１０４が第二電磁効果電気エネルギー負荷３０３に提供し順極性直列し、第二直列回路にする。
前記の第一直列回路と第二直列回路は両直列回路により同じ極性で並列接続し、電源スイッチ１００のコントロールを受ける。
【００２８】
ダイオード２００：第一直列回路のなかにおいて、抵抗体３０１と第一コンデンサー１０２との連結点であり、それは第二直列回路の中において抵抗体３０３と第二コンデンサー１０４との連結点の間に、抵抗体３０１と抵抗体３０３とが順極性直列になり、直流電気エネルギーを通過させる。
【００２９】
第５の態様において、その機能は、以下の通りである。
（１）  電源スイッチ１００がＯＮの時、直流電気エネルギーは抵抗体３０１を経て、第一コンデンサー１０２に対し充電し、そして抵抗体３０３を経て、第二コンデンサー１０４に対し充電し、この時、抵抗体３０１及び抵抗体３０３が全電圧を受け、なお第一コンデンサー１０２及び第二コンデンサー１０４の充電電圧により積分曲線上昇になり、抵抗体３０１及び抵抗体３０３の電圧が段々に降下する。
（２）  電気エネルギー負荷の電圧が降下し、抵抗体３０１及び抵抗体３０３の直列する分圧値に安定していて、この際の電流値が、直流電源電圧からダイオード２００の順方向電圧ＶＦを減算して、抵抗体３０１及び抵抗体３０３の直列抵抗値を割ったものに降下する。
（３）  電源スイッチ１００がＯＦＦの時、または電源電圧瞬間降下の時、第一コンデンサー１０２は抵抗体３０３に対し放電し、第二コンデンサー１０４が第二抵抗１０６と抵抗体３０１に対し放電することにより回路中断の時間を延滞させる。
【００３０】
第６の態様は、前記第５の態様に対して、送電時に抵抗体３０１及抵抗体３０３の電圧降下時間又は回路中断時の延滞時間の時定数を、第一コンデンサー１０２及び第二コンデンサー１０４の両端にそれぞれ第一抵抗１０５及び第二抵抗１０６を並列接続することにより、調節することができる。第６の態様は、下記のように構成する。
【００３１】
抵抗体３０１、３０３：抵抗性抵抗または他の抵抗性抵抗を含むコイル、又は抵抗性抵抗を含む電気エネルギー駆動装置又は素子により構成されるものであり、抵抗体３０１及び抵抗体３０３は同じ抵抗体又は異なる抵抗体で構成でき、その抵抗値が同じくまたは異なるものになる。
抵抗体３０１は第一コンデンサー１０２に提供し順極性直列し、第一直列回路にする。
第二コンデンサー１０４は抵抗体３０３と順極性直列し、第二直列回路にする。
前記の第一直列回路と第二直列回路は両直列回路により同じ極性で並列接続し、電源スイッチ１００のコントロールを受ける。
【００３２】
ダイオード２００：第一直列回路のなかにおいて、抵抗体３０１と第一コンデンサー１０２との連結点であり、それは第二直列回路の中において抵抗体３０３と第二コンデンサー１０４との連結点の間に、抵抗体３０１と抵抗体３０３とが順極性直列になり、直流電気エネルギーを通過させる。
【００３３】
第一抵抗１０５：抵抗性抵抗または他の抵抗性抵抗を含むコイル、又は抵抗性抵抗を含む電気エネルギー駆動装置又は素子により構成される。第一コンデンサー１０２の両側に並列接続し、抵抗体３０３の分圧電圧降下又は中断する時に、第一コンデンサー１０２の放電を早めるものであり、この態様で第一抵抗１０５は並列接続する抵抗体３０３の特性により設置するかしないかを選択できる。
【００３４】
第二抵抗１０６：抵抗性抵抗または他の抵抗性抵抗を含むコイル、又は抵抗性抵抗を含む電気エネルギー駆動装置又は素子により構成される。第二コンデンサー１０４の両側に並列接続し、抵抗体３０１の分圧電圧降下又は中断する時に、第二コンデンサー１０４の放電を早めるものであり、この態様で第二抵抗１０６は並列接続する抵抗体３０１の特性により設置するかしないかを選択できる。
【００３５】
第６の態様において、その機能は次の通りである。
（１）  電源スイッチ１００がＯＮの時、直流電気エネルギーは抵抗体３０１を経て第一コンデンサー１０２に対し充電し、そして抵抗体３０３を経て第二コンデンサー１０４に対し充電し、この時、抵抗体３０１及び抵抗体３０３が全電圧を受け、なお第一コンデンサー１０２及び第二コンデンサー１０４の充電電圧により積分曲線上昇になり、抵抗体３０１及び抵抗体３０３の電圧が段々に降下する。第一コンデンサー１０２に並列接続する第一抵抗１０５及び第二コンデンサー１０４に並列接続する第二抵抗１０６は抵抗体３０１及び抵抗体３０３の電圧降下時間を延滞できる。
（２）  電気エネルギー負荷の電圧が降下し、抵抗体３０１及び抵抗体３０３の直列する分圧値に安定していて、この際の電流値が、直流電源電圧からダイオード２００の順方向電圧ＶＦを減算し、抵抗体３０１及び抵抗体３０３の直列抵抗値を割ったものに降下する。
（３）  電源スイッチ１００がＯＦＦの時、または電源電圧瞬間降下の時、第一コンデンサー１０２は第一抵抗１０５と抵抗体３０３に対し放電し、第二コンデンサー１０４が第二抵抗１０６と抵抗体３０１に対し放電することにより回路中断の時間を延滞させる。
【００３６】
選択した前記電気エネルギー負荷は実際に応用される時にニーズにより、異なる電圧に異なる特性を持つ電気エネルギー駆動装置を使い、負荷にすることができ、例えば(１)磁気励起コイルを持つ電磁効果応用装置としての電磁制動装置、リレー(Relay)、電磁クラッチ、電磁スイッチ、電磁バルブ、電磁磁石、電磁鎖、螺旋管コイルなど、(２)電動機、(３)発電機の磁気励起コイル、(４)抵抗体例えば、抵抗性抵抗または他の抵抗性抵抗を含むコイル、又は抵抗性抵抗を含む電気エネルギー駆動装置又は素子、(５)他の異なる電圧に異なる特性を持つ電気エネルギー駆動装置とすることができる。ニーズにより前記の負荷の中に一種または一種以上の同じくまたは異なる電気エネルギー駆動装置を選択し電気エネルギー負荷を構成することができる。
【発明の効果】
【００３７】
本発明によれば、起動するときに負荷起動するときの電気エネルギーを増加させ、起動性能を上げ、負荷が作動するときにその電気エネルギーを下げることにより、作動のための電気エネルギーを減少、節約し、負荷の運転性能を制限したりすることができ、また、入力電圧が中断または低下したときに、その中断を遅延させることができる。
【発明を実施するための最良の形態】
【００３８】
以下、図面を参照して、本発明を説明する。
【００３９】
図１は、本発明の第１実施形態の構成を表す図である。図において、全圧起動分圧作動及び回路中断延滞装置は、電磁効果電気エネルギー負荷１０１と第一コンデンサー１０２とが直列接続された第一直列回路と、電磁効果電気エネルギー負荷１０３と第二コンデンサー１０４とが直列接続された第二直列回路と、を備えており、該第一直列回路と該第二直列回路とが、コンデンサーと負荷との接続順序が反対の関係で並列接続されている。
【００４０】
電磁効果電気エネルギー負荷１０１、１０３は、異なる電圧の時に異なる特性を持つ電気エネルギー駆動装置であり、例えば電磁効果又は電磁力により電気エネルギーを機械エネルギーへ変換する装置などで構成することができる。
【００４１】
第一電磁効果電気エネルギー負荷１０１は、第一コンデンサー１０２に順極性方向で直列接続して前記第一直列回路を構成している。また、第二コンデンサー１０４は第二電磁効果電気エネルギー負荷１０３に順極性方向で直列接続して、第二直列回路を構成している。
【００４２】
前記第一直列回路と第二直列回路とは、そのコンデンサー１０２と１０４及び電磁効果電気エネルギー負荷１０１と１０３の素子が反対の順で直列しており、そして両直列回路が同じ極性で並列接続することにより、電源スイッチ１００のコントロールを受けるようになっている。
【００４３】
第一直列回路のなかにおいて、第一電磁効果電気エネルギー負荷１０１と第一コンデンサー１０２との連結点と、第二直列回路の中において第二電磁効果電気エネルギー負荷１０３と第二コンデンサー１０４との連結点の間に、ダイオード２００が接続される。ダイオード２００によって、第一電磁効果電気エネルギー負荷１０１と第二電磁効果電気エネルギー負荷１０３とが順極性方向で直列になり、直流電気エネルギーを通過可能となる。
【００４４】
この第１実施形態は次のように作用する。
（１）  電源スイッチ１００がＯＮになると、直流電気エネルギーが、第一電磁効果電気エネルギー負荷１０１を経て第一コンデンサー１０２に対し充電されると同時に、第二電磁効果電気エネルギー負荷１０３を経て、第二コンデンサー１０４に対し充電される。
この時、第一電磁効果電気エネルギー負荷１０１及び第二電磁効果電気エネルギー負荷１０３は全入力電圧を受ける。
その後、第一コンデンサー１０２及び第二コンデンサー１０４の充電電圧が積分曲線に従って上昇していくと、第一電磁効果電気エネルギー負荷１０１及び第二電磁効果電気エネルギー負荷１０３の電圧が段々に降下していく。
（２）  電気エネルギー負荷１０１、１０３の電圧が降下し、第一電磁効果電気エネルギー負荷１０１及び第二電磁効果電気エネルギー負荷１０３の直列分圧値に安定していく。この際の電流値は、入力電圧である直流電源電圧を、ダイオード２００の順方向電圧ＶＦを引いて、第一電磁効果電気エネルギー負荷１０１及び第二電磁効果電気エネルギー負荷１０３の直列抵抗値を割ったものとなる。
（３）  電源スイッチ１００がＯＦＦになり、または電源電圧が瞬間的に降下すると、第一コンデンサー１０２は、第二電磁効果電気エネルギー負荷１０３に対し放電し、第二コンデンサー１０４は、第一電磁効果電気エネルギー負荷１０１に対し放電することにより、回路中断の時間を遅らせることができる。
【００４５】
図２は、本発明の第２実施形態の構成を表す図である。前実施形態と同一の部材は同一の符号を付し、その詳細説明を省略する。
【００４６】
この実施形態では、図１の第１実施形態による回路例に対して、第一コンデンサー１０２及び第二コンデンサー１０４の両端にそれぞれ第一抵抗１０５及び第二抵抗１０６を並列接続することにより、送電時における第一電磁効果電気エネルギー負荷１０１及び第二電磁効果電気エネルギー負荷１０３の電圧降下時間、又は回路中断時における遅延時間の時定数を調節できるようにしたものである。
【００４７】
第一抵抗１０５及び第二抵抗１０６は、抵抗性抵抗（つまり容量性抵抗または誘導性抵抗でない抵抗）または他の抵抗性抵抗を含むコイル、又は抵抗性抵抗を含む電気エネルギー駆動装置又は素子により構成されることができる。
【００４８】
第一抵抗１０５は、第一コンデンサー１０２の両側に並列接続し、第二電磁効果電気エネルギー負荷１０３の分圧電圧降下又は中断する時に、第一コンデンサー１０２の放電を早めるためのものである。
【００４９】
第二抵抗１０６は、第二コンデンサー１０４の両側に並列接続し、第一電磁効果電気エネルギー負荷１０４の分圧電圧降下又は中断する時に、第二コンデンサー１０４の放電を早めるためのものである。
【００５０】
この第２実施形態は、第１実施形態と同様に作用させることができる。但し、電源スイッチ１００がＯＮとなった起動後、第一電磁効果電気エネルギー負荷１０１及び第二電磁効果電気エネルギー負荷１０３の電圧が段々降下していくときに、第一コンデンサー１０２に並列接続する第一抵抗１０５及び第二コンデンサー１０４に並列接続する第二抵抗１０６によって、第一電磁効果電気エネルギー負荷１０１及び第二電磁効果電気エネルギー負荷１０３の電圧降下時間を延長することができる。
【００５１】
また、電源スイッチ１００がＯＦＦになり、または電源電圧が瞬間的に降下した時に、第一コンデンサー１０２は第一抵抗１０５と第二電磁効果電気エネルギー負荷１０３に対し放電し、第二コンデンサー１０４が第二抵抗１０６と第一電磁効果電気エネルギー負荷１０１に対し放電することにより回路中断の時間を遅らせることができる。
【００５２】
図３は、本発明の第３実施形態の構成を表す図である。前実施形態と同一の部材は同一の符号を付し、その詳細説明を省略する。
【００５３】
この実施形態では、負荷として、前実施形態における電磁効果電気エネルギー負荷１０１の代わりに、降圧機能のある抵抗性電気エネルギー負荷としての抵抗体３０１で構成したものである。
【００５４】
抵抗体３０１は、抵抗性抵抗または他の抵抗性抵抗を含むコイル、又は抵抗性抵抗を含む電気エネルギー駆動装置又は素子により構成される抵抗性負荷である。抵抗体３０１は第一コンデンサー１０２に順極性方向で直列接続して、第一直列回路を構成する。ダイオード２００を介して、抵抗体３０１と第二電磁効果電気エネルギー負荷１０３とが順極性方向で直列接続され、直流電気エネルギーを通過可能となっている。
この第３実施形態も、第１実施形態と同様に作用させることができる。
【００５５】
図４は、本発明の第４実施形態の構成を表す図である。前実施形態と同一の部材は同一の符号を付し、その詳細説明を省略する。
【００５６】
この実施形態では、図３の第３実施形態による回路例に対して、第一コンデンサー１０２及び第二コンデンサー１０４の両端にそれぞれ第一抵抗１０５及び第二抵抗１０６を並列接続することにより、送電時における第一電磁効果電気エネルギー負荷１０１及び第二電磁効果電気エネルギー負荷１０３の電圧降下時間、又は回路中断時における遅延時間の時定数を調節できるようにしたものである。
【００５７】
但し、第二抵抗１０６は並列接続する抵抗体３０１の特性により、設置するかしないかを選択することができる。
この第４実施形態も、第２実施形態と同様に作用させることができる。
【００５８】
図５は、本発明の第５実施形態の構成を表す図である。前実施形態と同一の部材は同一の符号を付し、その詳細説明を省略する。
【００５９】
この実施形態では、負荷として、第３実施形態における電磁効果電気エネルギー負荷１０３の代わりに、降圧機能のある抵抗性電気エネルギー負荷としての抵抗体３０３で構成したものである。
【００６０】
抵抗体３０１、３０３は、抵抗性抵抗または他の抵抗性抵抗を含むコイル、又は抵抗性抵抗を含む電気エネルギー駆動装置又は素子により構成される抵抗性負荷であり、抵抗体３０１及び抵抗体３０３は同じ抵抗体又は異なる抵抗体で構成でき、その抵抗値が同じでもよく、または異なるものでもよい。
【００６１】
ダイオード２００を介して、抵抗体３０１と抵抗体３０３とが順極性方向で直列接続され、直流電気エネルギーを通過可能となっている。
この第５実施形態も、第１または第３実施形態と同様に作用させることができる。
【００６２】
図６は、本発明の第６実施形態の構成を表す図である。前実施形態と同一の部材は同一の符号を付し、その詳細説明を省略する。
【００６３】
この実施形態では、図５の第５実施形態による回路例に対して、第一コンデンサー１０２及び第二コンデンサー１０４の両端にそれぞれ第一抵抗１０５及び第二抵抗１０６を並列接続することにより、送電時における抵抗体３０１及び抵抗体３０３の電圧降下時間又は回路中断時の遅延時間の時定数を調節できるようにしたものである。
【００６４】
但し、第一抵抗１０５と第二抵抗１０６のいずれかを省略することもでき、第一抵抗１０５は並列接続する抵抗体３０３の特性により設置するかしないかを選択でき、または、第二抵抗１０６は並列接続する抵抗体３０１の特性により設置するかしないかを選択できる。
以上のように構成される第６実施形態においても、前実施形態と同様に作用させることができる。
【００６５】
以上の全圧起動分圧作動及び回路中断延滞装置において、負荷としては、実際に応用される時にニーズにより、異なる電圧に異なる特性を持つ電気エネルギー駆動装置を使った負荷とすることができる。例えば、(１)磁気励起コイルを持つ電磁効果応用装置としての電磁制動装置、リレー(Relay)、電磁クラッチ、電磁スイッチ、電磁バルブ、電磁石、電磁鎖、螺旋管コイルなど；(２)電動機；(３)発電機の磁気励起コイル；(４)抵抗体例えば、抵抗性抵抗または他の抵抗性抵抗を含むコイル、又は抵抗性抵抗を含む電気エネルギー駆動装置又は素子；(５)他の異なる電圧に異なる特性を持つ電気エネルギー駆動装置とすることができる。必要に応じて、前記の負荷の中に一種または一種以上の同じまたは異なる電気エネルギー駆動装置を選択し、電気エネルギー負荷を構成することができる。
【００６６】
以上のように、本発明による全圧起動分圧運転及び回路中断延滞装置によれば、起動するときに負荷起動するときの電気エネルギーを増加させて起動性能を上げ、負荷が作動するときにその電気エネルギーを下げることにより、電気エネルギーを節約し、負荷の運転性能を制限したりすることができ、また、入力電圧が中断または低下したときに、その中断を遅延させることができる。
【図面の簡単な説明】
【００６７】
【図１】本発明の第１実施形態による回路構成図である。
【図２】本発明の第２実施形態による回路構成図である。
【図３】本発明の第３実施形態による回路構成図である。
【図４】本発明の第４実施形態による回路構成図である。
【図５】本発明の第５実施形態による回路構成図である。
【図６】本発明の第６実施形態による回路構成図である。
【符号の説明】
【００６８】
１００  電源スイッチ
１０１、１０３  電磁効果電気エネルギー負荷（負荷）
１０２  第一コンデンサー
１０４  第二コンデンサー
１０５  第一抵抗
１０６  第二抵抗
２００  ダイオード
３０１、３０３  抵抗体（負荷）
【図１】
0005302557.tif 000002
【図２】
0005302557.tif 000003
【図３】
0005302557.tif 000004
【図４】
0005302557.tif 000005
【図５】
0005302557.tif 000006
【図６】
0005302557.tif 000007